(57)【要約】【課題】背面から強い光が入射されても、表面の視認性を高く維持することのできる再帰性反射型蓄光シートを提供する。【解決手段】発明に係る再帰性反射型蓄光シートは、表面に設けられた、透光性材料から成る再帰性反射層と、前記再帰性反射層の背面側に設けられた、蓄光性材料を含有する蓄光層と、前記蓄光層の背面側に設けられた、遮光性材料から成る遮光層と、を有することを特徴とする。これにより、再帰性反射層による反射光と、該再帰性反射層を透過して蓄光層に蓄えられた光による発光を得ることができると共に、背面からの光の入射が遮光層により遮断される。そのため、背面から強い光が入射されても表面の視認性を高く維持することができる。【選択図】図１
2014164082.tif 000002
【特許請求の範囲】
【請求項１】
表面に設けられた、透光性材料から成る再帰性反射層と、
前記再帰性反射層の背面側に設けられた、蓄光性材料を含有する蓄光層と、
前記蓄光層の背面側に設けられた、遮光性材料から成る遮光層と、
を有することを特徴とする再帰性反射型蓄光シート。
【請求項２】
前記遮光層の表面側の面が、反射面であることを特徴とする請求項１に記載の再帰性反射型蓄光シート。
【請求項３】
前記反射面が、白色反射面であることを特徴とする請求項２に記載の再帰性反射型蓄光シート。
【請求項４】
前記蓄光層を覆う前記再帰性反射層に、その上に印刷することが可能な表面処理が施されていることを特徴とする請求項１〜３のいずれかに記載の再帰性反射型蓄光シート。
【請求項５】
前記再帰性反射層が、複数の球状のガラスビーズが並列に並ぶガラスビーズ層と、各ガラスビーズの下部を覆う透明反射層を有することを特徴とする請求項１〜４のいずれかに記載の再帰性反射型蓄光シート。
【請求項６】
前記ガラスビーズが、隣接するガラスビーズ間に隙間を設けて配置されていることを特徴とする請求項５に記載の再帰性反射型蓄光シート。
【請求項７】
前記透明反射層が、前記ガラスビーズよりも屈折率の小さい材料から成る層と、前記ガラスビーズよりも屈折率の大きい材料から成る層を、この順に該ガラスビーズの下部に積層したものであることを特徴とする請求項５又は６に記載の再帰性反射型蓄光シート。
【請求項８】
前記ガラスビーズの上部が、該ガラスビーズを保持する透明樹脂層から露出していることを特徴とする請求項５〜７のいずれかに記載の再帰性反射型蓄光シート。
【発明の詳細な説明】
【技術分野】
【０００１】
本発明は再帰性反射機能を有する蓄光シートに関する。
【背景技術】
【０００２】
近年、台風や地震等の大型の災害に備え、光を蓄え停電時でも発光する蓄光性シートを用いた避難誘導板の配備が進められている。ただ、蓄光性シートの発光継続時間はそう長くなく、また、発せられる光も弱いため、十分な避難誘導機能を果たすことができない場合がある。そこで、例えば特許文献１に示すように、再帰性反射材と蓄光性材料を組み合わせた表示装置も提供されるようになっている。
再帰性反射とは、光源からの光を該光源に向かって返す反射のことである。このように再帰性反射する再帰性反射材は、例えば車等のヘッドライトから出る光をヘッドライトに向かって反射するため、夜間走行時に、ドライバーが遠方からでもその存在を認識することが可能となる。また、昼間でも、強い光を照射することにより、その存在を浮き上がらせることができる。そのため、再帰性反射材は、自転車や自動車のテール部分やガードレール等に付けられている反射板、交通標識等に多く用いられる。
【０００３】
特許文献１の表示装置は、透光性材料から成る再帰性反射層と、その背面側に設けられた、蓄光性材料を含有する蓄光層を有する。この表示装置は、表面に入射された光を再帰的に反射させることができると共に、蓄光層が発する光を、再帰性反射層を透過させて表面から放射させることができる。そのため、外光がない状態でも、蓄光層が発する光により表面（表示面）に施された表示を視認することができる。
【先行技術文献】
【特許文献】
【０００４】
【特許文献１】特開2007-114271号公報
【発明の概要】
【発明が解決しようとする課題】
【０００５】
特許文献１の表示装置は、背面から光が入射可能になっている。このような構造の表示装置を屋外や窓ガラス等に設けた場合、背面から強い光（例えば直射日光）が入射してしまうと、表面の再帰性反射による反射光や蓄光層から表面に放射される光がこの背面からの強い光に埋もれてしまい、表面（より具体的には表面に施された印刷等の表示）の視認性が低下してしまうことがあった。
【０００６】
本発明が解決しようとする課題は、背面から強い光が入射されても、表面の視認性を高く維持することのできる再帰性反射型蓄光シートを提供することである。
【課題を解決するための手段】
【０００７】
上記課題を解決するために成された本発明に係る再帰性反射型蓄光シートは、
表面に設けられた、透光性材料から成る再帰性反射層と、
前記再帰性反射層の背面側に設けられた、蓄光性材料を含有する蓄光層と、
前記蓄光層の背面側に設けられた、遮光性材料から成る遮光層と、
を有することを特徴とする。
【０００８】
本発明に係る再帰性反射型蓄光シートでは、再帰性反射層により、表面に入射された光の再帰性反射が行われると共に、該再帰性反射層が透光性を有することにより、入射光の一部が再帰性反射層を透過して蓄光層に到達し、蓄えられる。蓄光層に蓄えられた光は表面側に放射され、外光がない状態でも表面を光らせる。これに対し、背面から入射された光は、遮光層に遮られ、表面には到達しない。そのため、表面側（再帰性反射層側）から強い光が入射され、それを再帰性反射層で表面側に反射する再帰反射時、表面側からの強い光がなく、専ら蓄光層から表面側に放光する蓄光放光時、ともに、背面から強い光が入射されても、表面の視認性を高く維持することができる。
【０００９】
前記再帰性反射層と前記蓄光層は互いに接していても良いし、間に透光性の層を挟んでいても良い。
【００１０】
前記遮光層の表面側の面は、反射面とすることが望ましい。例えば、遮光層の表面にアルミ箔等の金属箔を付着させたり、遮光層自体を金属箔とすることにより、このような遮光層を形成することができる。これにより、蓄光層から背面側に光が放射されても、遮光層によって反射され、表面側より放射される。そのため、蓄光層からの発光時に従来よりも強い光が表面から放射される。
また蓄光時には、表面から再帰性反射層を透過してきた光を蓄光層が吸収しきれず、その一部が蓄光層を通過したとしても、その光は遮光層により反射されて蓄光層に戻り、再び吸収を受ける。これにより、蓄光層は従来よりも光を多く蓄えることができるようになるため、蓄光層からの発光が強くなると共に、残光時間が長くなる。
【００１１】
前記反射面は、光を散乱させて反射させるものであっても良い。例えば酸化チタン等の顔料を遮光層の表面に塗布することでこのような反射面を形成することができる。酸化チタンから成る顔料を塗布した場合、蓄光層から遮光層に向けて放射された光が、光沢のある白色散乱光として反射され、シート表面の色彩をより鮮やかにすることができる。
【００１２】
また、この再帰性反射型蓄光シートは、表面に適切なインクを用いて文字やデザイン文様等を印字（印刷）することができるように、前記蓄光層を覆う前記再帰性反射層の上にシランカップリング剤等による表面処理を施しておくことが望ましい。これにより、印刷した文字やデザイン文様等を蓄光による発光で明瞭に視認することができるようになる。
【発明の効果】
【００１３】
本発明に係る再帰性反射型蓄光シートは、透光性材料から成る再帰性反射層と、再帰性反射の背面側に設けた蓄光層と、蓄光層の背面側に設けた遮光層を有することにより、再帰性反射層による反射光と、該再帰性反射層を透過して蓄光層に蓄えられた光による発光を得ることができると共に、背面からの光の入射が遮光層により遮断される。この再帰性反射型蓄光シートは、背面から強い光が入射されても表面の視認性を高く維持することができるため、屋外や窓ガラス等に好適に設置することができる。また、遮光層の表面側を反射面とすることにより、蓄光層から背面側に放射される光を反射させて蓄光層に戻し、より多くの光を蓄光層に蓄えることができるようになる。また、蓄光放光時（及び、再帰反射時）には、蓄光層から背面側に放射された光を表面側に戻すことにより、表面からの発光量をより多くすることができる。
【図面の簡単な説明】
【００１４】
【図１】本発明に係る再帰性反射型蓄光シートの一実施例の概略構成図。
【図２】本実施例の再帰性反射層の拡大図。
【図３】本実施例の再帰性反射型蓄光シートの表面から放射される光の説明図。
【図４】本実施例の遮光層の表面側の面を反射面としたときの、蓄光層から放射される光の説明図。
【図５】本実施例の再帰性反射型蓄光シートの一使用例を示す図。
【発明を実施するための形態】
【００１５】
本発明に係る再帰性反射型蓄光シート（以下、「蓄光シート」とする）の一実施例について、図１〜図５を参照して説明する。
なお、以下では、便宜上、再帰性反射層側を上、遮光層側を下として説明するが、これらの位置関係は重力方向の上下に限定されるものではない。
【実施例】
【００１６】
図１は本実施例の蓄光シートの概略構成図である。この蓄光シートは、大別して、透光性材料から成る再帰性反射層１と、蓄光性材料を含有する蓄光層４と、遮光性材料から成る遮光層５とを有する（図１）。遮光層５（厚さ20〜100μm）の表面側の面には、酸化チタンから成る白色顔料が塗布され、その塗布面の上に蓄光層４（厚さ100〜1500μm）が積層され、更にその上には該蓄光層４を保護するためのPET（Polyethylene terephthalate; ポリエチレンテレフタラート）層３（厚さ25〜125μm）が積層されている。PET層３上には透明樹脂から成るバインダー層２（厚さ50μm）が積層され、再帰性反射層１（厚さ40〜100μm）が該バインダー層２上に保持されている。また、遮光層５の下面には粘着層６（厚さ20〜50μm）が形成されており、粘着層６の下面には離型PE（polyethylene; ポリエチレン）フィルム（厚さ100μm）又は離型紙（厚さ100〜200μm）７が貼付されている。
【００１７】
本実施例の蓄光シートは、使用時には、離型PEフィルム（又は離型紙）７を剥がし、被貼着物（窓や壁、板、服等）に貼着させる。この蓄光シートは、例えば後述のように再帰性反射層１の表面に印刷を施して使用しても良い。
【００１８】
図２は再帰性反射層１の拡大図である。再帰性反射層１は、多数のガラスビーズ（平均粒径40〜100μm）が、隣接するガラスビーズ間に多少の隙間（10〜30μm）が生じる程度に配置されたガラスビーズ層１１と、ガラスビーズ層１１の下面を覆う透明反射層１２から成る。透明反射層１２は、ガラスビーズ（屈折率1.9）よりも屈折率の小さい材料（例えば屈折率1.5）で構成された低屈折率層（厚さ50〜100nm）と、ガラスビーズよりも屈折率の大きい材料（例えば屈折率2.4）で構成された高屈折率層（厚さ50〜100nm）をこの順に蒸着することにより形成している。
【００１９】
図２に示すように、再帰性反射層１のガラスビーズに入射した光は、そのレンズ作用により集光され、後方の透明反射層１２により反射され、再びガラスビーズ内を通って同じ方向に返される（再帰性反射）。透明反射層１２に到達した光の一部はそこで反射されることなく透過し、バインダー層２及びPET層３も透過して蓄光層４に到達し、そこで蓄光される。隣接ガラスビーズ間の隙間に入射した光も、一部は反射するものの、多くは透明反射層１２を透過して蓄光層４に到達し、蓄光される。本実施例の蓄光シートでは、このようにガラスビーズ間に隙間が生じるようにガラスビーズを配置しているため、蓄光層４の蓄光量を多くすることができる。蓄光層４は、このようにして蓄えた光を徐々に放射していき（蓄光放光）、この光はPET層３、バインダー層２、再帰性反射層１を順に透過して、蓄光シートの上面（表面）から放射される。
【００２０】
図３は蓄光シートの表面から放射される光の説明図である。ここでは、蓄光シートをガラス板２０に貼付した例について説明する。
【００２１】
上記のように、本実施例の蓄光シートでは、外光がある状態では光源に向かって反射光を返すと共に、その光の一部は蓄光層４に蓄えられる。この蓄光層４に蓄えられた光はゆっくりと放射されていくため、外光がない状態でも相当の間、上面を光らせる。一方、蓄光シートをガラス板２０に貼付したことにより、ガラス板２０を通して蓄光シートに背面から光が入射されることがある。しかし、この光は遮光層５により遮断されるため、例えガラス板２０から強い光が入射されたとしても、上面には反射光又は蓄光放光のみが放射され、上面（表面）の視認性が高く維持される。
【００２２】
図４は蓄光層４から発せられる光の説明図である。本実施例の遮光層５は、上記のように表面に酸化チタンから成る白色顔料が塗布され、反射面となっている。これにより、図４に示すように、蓄光層４から遮光層５に向かって放射された光が、該遮光層５によって反射され、上面側より放射される。そのため、この反射された光により上面側の発光を強くすることができる。
また、上面から再帰性反射層１を透過してきた光を蓄光層４が吸収しきれず、その一部が蓄光層４を通過したとしても、その光は遮光層５により反射されて蓄光層４に戻り、再び吸収を受ける。これにより、蓄光層４は従来よりも光を多く蓄えることができるため、蓄光層４からの発光がより強くなると共に、残光時間が長くなるという効果も得られる。
なお、遮光層５に反射面を設けることは、アルミ箔等の金属箔を蒸着又は付着させたり、遮光層５自体を金属箔することによっても得ることができるが、金属箔による反射光よりも白色顔料によって白色散乱光として反射させる方が色彩も美麗で、蓄光シートの表面から放射される光の輝度も高めることができる。
【００２３】
図５は、本実施例の蓄光シートの一使用例である。図５(a)の蓄光シートは、ガラスビーズ層１１にシランカップリング剤（例えばアミノシランカップリング剤）等による表面処理（表面処理層３２）が施されている。そのため、この蓄光シートでは、ガラスビーズ層１１上にデザイン文様等を直接、適切なインクを用いて印字（印刷）することができる。図５(b)は非常口の表示に用いられるデザインであり、ガラスビーズ層１１上にインクで印字された印字部３０とそれ以外の非印字部３１によりこのようなデザインを表示することができる。
【００２４】
以上、本発明に係る再帰性反射型蓄光シートの一実施例を示したが、本発明の趣旨の範囲内で適宜変更可能であることは明らかである。例えば、上記実施例では、再帰性反射層１を、ガラスビーズの上半球部がバインダー層２から露出したオープン型のものとしたが、該上半球部を皮膜で覆ったクローズ型のものであっても良い。ガラスビーズの上に間隙を形成してフィルムを被せるカプセルレンズ型のものであっても良い。また、上記のように、被貼着物にシート状の再帰性反射型蓄光シートを貼着させるのではなく、ガラス板等の上に直接各層を形成しても良い。
【符号の説明】
【００２５】
１…再帰性反射層
１１…ガラスビーズ層
１２…透明反射層
１２Ａ…低屈折率薄膜
１２Ｂ…高屈折率薄膜
２…バインダー層
３…PET層
４…蓄光層
５…遮光層
６…粘着層
７…離型PEフィルム（又は離型紙）
２０…ガラス板
３０…印字部
３１…非印字部
３２…表面処理層
【図１】
2014164082.tif 000003
【図２】
2014164082.tif 000004
【図３】
2014164082.tif 000005
【図４】
2014164082.tif 000006
【図５】
2014164082.tif 000007